(57)【特許請求の範囲】
【請求項１】
壁掛け型浄水器における浄水器本体の取り付け構造であって、取付具を２バルブ混合栓の奥側のシンク縁部より立設した壁面に取り付けるにあたり、浄水器本体を固定した取付具としてのステーを、その下部に２つのＵ字型にスリットを切り欠いた状態で、２つのスリットが壁面から突出する温水、冷水の供給パイプのそれぞれに当接するように、２バルブ混合栓に接続し、付勢手段によりステーを壁面に押圧し、ステーの下部をシンク縁部の平面部と当接させて、浄水器本体を固定したステーを壁面に固定するよう構成するとともに、シンクの水栓から原水を浄水器本体に供給し、浄水器本体から浄水をシンク内に供給できるよう構成したことを特徴とする壁掛け型浄水器の取り付け構造。
【請求項２】
壁掛け型浄水器における浄水器本体の取り付け構造であって、取付具をシングルレバー混合栓の奥側のシンク縁部より立設した壁面に取り付けるにあたり、浄水器本体を固定した取付具としてのステーを、その下部にＵ字型にスリットを切り欠いた状態で、スリットがシングルレバー混合栓と当接するように、シングルレバー混合栓に接続し、Ｕ字型のスリットの端部を垂直に曲げ、シンクの垂直面に当接させて、浄水器本体を固定したステーを壁面に固定するよう構成するとともに、シンクの水栓から原水を浄水器本体に供給し、浄水器本体から浄水をシンク内に供給できるよう構成したことを特徴とする壁掛け型浄水器の取り付け構造。
【請求項３】
壁掛け型浄水器における浄水器本体の取り付け構造であって、取付具を、シンク縁部の平面部に設けられている孔を利用して、シンク縁部より立設した壁面に取り付けるにあたり、浄水器本体を固定した取付具としてのステーを、孔に嵌合するバスケット形状の容器に接続し、この容器を孔に挿入させて、浄水器本体を固定したステーを壁面に固定するよう構成するとともに、シンクの水栓から原水を浄水器本体に供給し、浄水器本体から浄水をシンク内に供給できるよう構成したことを特徴とする壁掛け型浄水器の取り付け構造。
【請求項４】
壁掛け型浄水器における浄水器本体の取り付け構造であって、取付具を、奥側のシンク縁部より立設した壁面であって壁上部にひさしのある壁面に取り付けるにあたり、ひさしの下側とシンク縁部の平面部との間に固定可能な取付具としての拡張部材に浄水器本体を固定し、浄水器本体を固定した拡張部材を壁面に固定するよう構成するとともに、シンクの水栓から原水を浄水器本体に供給し、浄水器本体から浄水をシンク内に供給できるよう構成したことを特徴とする壁掛け型浄水器の取り付け構造。
【発明の詳細な説明】
【０００１】
【発明の属する技術分野】
本発明は、家庭のキッチンのシンク近傍に設置する壁掛け型浄水器およびその取り付け構造に関するものである。
【０００２】
【従来の技術】
従来から、家庭用の浄水器として、中空糸膜を使用するものやセラミック膜フィルターを使用するものなど種々の浄水器が知られている。これらの浄水器を家庭のキッチンのシンク近傍に設置する場合、水栓の蛇口ノズルに直接浄水器を取り付ける構造、アンダーシンクに設けたビルトイン型浄水器の構造、シンクの平面部に浄水器を置く据え置き型浄水器の構造、などがよく知られている。
【０００３】
【発明が解決しようとする課題】
これらの浄水器の取り付け構造のうち、蛇口ノズルに直接取り付ける浄水器は小型であるので、流量も少なく、また活性炭などの有害物を除去する部材も小体積であるので、長期の使用に使えない問題があった。また、アンダーシンクのビルトイン型浄水器は、ろ過エレメントも大型にでき、またシンク上や、蛇口ノズルに浄水器や切り替えコックがじゃまとならないので好ましいが、シンク上に取り出し栓の取付けや、浄水器への原水供給配管や浄水器と取り出し栓を結ぶ配管の設置工事が必要で、システムキッチンなど、キッチン購入当初よりこれら配管や栓が取り付けてある以外は採用が困難である問題があった。さらに、据え置き型は、シンク近傍の平面部やシンク近傍の棚などに置く形式で、ろ過エレメントも蛇口直結型より大型であるので、流量、有害物除去特性も優れるが、シンク上でじゃまとなり、また浄水器自体もシンク近傍の平面部に置いてあるので、 浄水器の底部や、底部に対応するシンク上の平面部が汚れ、また掃除もし難く、浄水器自体も転倒しやすい問題があった。
【０００４】
本発明の目的は上述した課題を解消して、家庭用のシンク近傍に取り付けてもじゃまにならない壁掛け型浄水器およびその取り付け構造を提供しようとするものである。
【０００５】
【課題を解決するための手段】
本発明の壁掛け型浄水器の取り付け構造は、壁掛け型浄水器における浄水器本体の取り付け構造であって、取付具を２バルブ混合栓の奥側のシンク縁部より立設した壁面に取り付けるにあたり、浄水器本体を固定した取付具としてのステーを、その下部に２つのＵ字型にスリットを切り欠いた状態で、２つのスリットが壁面から突出する温水、冷水の供給パイプのそれぞれに当接するように、２バルブ混合栓に接続し、付勢手段によりステーを壁面に押圧し、ステーの下部をシンク縁部の平面部と当接させて、浄水器本体を固定したステーを壁面に固定するよう構成するとともに、シンクの水栓から原水を浄水器本体に供給し、浄水器本体から浄水をシンク内に供給できるよう構成したことを特徴とするものである。
【０００６】
本発明では、家庭用のシンク近傍で作業のじゃまにならないシンク近傍の壁面に浄水器を取り付けることで、せまい家庭用のキッチンのシンク近傍でも浄水器がじゃまになることはない。 また浄水器の下部に空間をさえぎる部材が少ないので、はね水などで汚れても清掃が容易となる。
【０００７】
また、本発明の壁掛け型浄水器の取り付け構造は、壁掛け型浄水器における浄水器本体の取り付け構造であって、取付具をシングルレバー混合栓の奥側のシンク縁部より立設した壁面に取り付けるにあたり、浄水器本体を固定した取付具としてのステーを、その下部にＵ字型にスリットを切り欠いた状態で、スリットがシングルレバー混合栓と当接するように、シングルレバー混合栓に接続し、Ｕ字型のスリットの端部を垂直に曲げ、シンクの垂直面に当接させて、浄水器本体を固定したステーを壁面に固定するよう構成するとともに、シンクの水栓から原水を浄水器本体に供給し、浄水器本体から浄水をシンク内に供給できるよう構成したことを特徴とするものである。
【０００８】
さらに、本発明の壁掛け型浄水器の取り付け構造は、壁掛け型浄水器における浄水器本体の取り付け構造であって、取付具を、シンク縁部の平面部に設けられている孔を利用して、シンク縁部より立設した壁面に取り付けるにあたり、浄水器本体を固定した取付具としてのステーを、孔に嵌合するバスケット形状の容器に接続し、この容器を孔に挿入させて、浄水器本体を固定したステーを壁面に固定するよう構成するとともに、シンクの水栓から原水を浄水器本体に供給し、浄水器本体から浄水をシンク内に供給できるよう構成したことを特徴とするものである。
【０００９】
さらにまた、本発明の壁掛け型浄水器の取り付け構造は、壁掛け型浄水器における浄水器本体の取り付け構造であって、取付具を、奥側のシンク縁部より立設した壁面であって壁上部にひさしのある壁面に取り付けるにあたり、ひさしの下側とシンク縁部の平面部との間に固定可能な取付具としての拡張部材に浄水器本体を固定し、浄水器本体を固定した拡張部材を壁面に固定するよう構成するとともに、シンクの水栓から原水を浄水器本体に供給し、浄水器本体から浄水をシンク内に供給できるよう構成したことを特徴とするものである。
【００１４】
【発明の実施の形態】
図１および図２はそれぞれ本発明の壁掛け型浄水器をその取り付け構造の一例とともに示す図である。図１および図２に示す例は、垂直な壁面に取り付けた例（その１）を示している。シンク奥部はシンク１の奥側のシンク縁部２より、垂直方向の壁面３となっており、狭いキッチンに多い形態である。この場合、２バルブ混合栓４に固定する例を示す。浄水器本体５を取り付けるステー６は、下部を２つのＵ字型スリット７−１、７−２に切り欠いた状態で、２バルブ混合栓４に接続し、バネなどの付勢手段１４により、ステー６を壁面３に押圧し、またステー６の下部８−１、８−２はシンク縁部２の平面部９に当接しており、浄水器本体５の荷重を支えている。 ステー６の固定方法としては、ステーの下部をΩ状として、直接温水、冷水のパイプにはさみ込むか、Ω状の開口部をネジで狭め、固定しても良い。
【００１５】
２バルブ混合栓４とノズル１０の中間に原水取り出し用のスペーサ１１を取付け、ここから原水を取り出し、浄水器本体５に導き、浄水器本体内の図示しないろ過エレメントにより、有害物、菌、パーティクルなどを除去した後、浄水器本体５の下部に取り付けた浄水ノズル１２より、浄水が得られる。 混合栓に付属しているノズル１０の先端には、浄水器へ原水を供給する切り替えコックが付属していなく、ノズル１０に原水供給用の柔軟性のあるパイプを取り付けていないので、ノズル１０はシンク内で容易に角度を振ることができ、またノズル１０の下部もはね水などで汚損することが少ないので、使用感が良好となる。また浄水ノズル１２が浄水器本体５の下部についているので、浄水器を使用しない場合の滞留水の排出も容易であり、また浄水ノズル１２はシンク１内に浄水を流すことができるので、原水の供給をたった後の水切れ、いわゆるポタポタ落ちがあってもシンク１内に容易に排出できるので、シンク１周囲に水を撒き散らす事も無い。また浄水器本体５の下部空間にはさえぎる部材が少ないので、掃除も容易である。ステー６とシンク奥の壁面３とは、ステー６の平面部９に両面粘着シートを使用して、両者を固着しても良い。また浄水器本体５は水平方向に長い形状であるが、垂直方向でも良い。浄水器本体５内のろ過エレメントは浄水器本体５のカバー１３を取り外して浄水器本体５内より取り出すが、ろ過エレメント自体を透明とし、内部の汚れ程度が判るようにしても、寿命判断、意匠の点で好ましい。
【００１６】
図３は本発明の壁掛け型浄水器をその取り付け構造の他の例とともに示す図である。図３に示す例は、垂直な壁面に取り付けた例（その２）を示している。図３に示す例において、図１と同一の部材には同一の符号を付し、その説明を省略する。本例ではシングルレバー混合栓２１の場合の例を示す。シンク奥部は図１に示す例と同様な壁面３であり、図１に示す例と同様にＵ字型のスリット７を有するステー３のＵ字部の奥が、混合栓２１の根元に当接する様にし、さらにステー３が混合栓２１に対し、回転しない様に、Ｕ字型スリット７の端部２２−１、２２−２を直角に曲げ、シンク１の垂直面２３に当てている。 ステーの固定方法としては、ステーの下部をΩ状にして、シングル
レバー混合栓の本体を挟み込むか、Ω状の開口部をネジなどで狭める様にして固定しても良い。シングルレバー混合栓２１のノズル１０の先端に取り付けた切り替えコック２４より原水を浄水器本体５に導き、浄水器本体５の浄水ノズル１２より浄水を得ている。原水を浄水器本体５に導く柔軟性のあるパイプ２５は混合栓２１のノズル１０に対し、プラスチック製のバンド２６などで固定してある。
【００１７】
図４は本発明の壁掛け型浄水器をその取り付け構造のさらに他の例とともに示す図である。図４に示す例は、垂直な壁面に取り付けた例（その３）を示している。図４に示す例において、上述した例と同一の部材には同一の符号を付し、その説明を省略する。本例では１バルブの水栓３１に取り付けた例を示す。浄水器本体５はそれぞれがロッドなどを９０度に曲げて構成されステーとなる一対の脚３２−１、３２−２によりシンク１近傍の平面部９に置く事ができる。脚３２−１、３２−２には、浄水器本体５の荷重を直接シンク近傍の平面部９に与える屈曲部３３−１、３３−２が設けられるとともに、壁面３に沿った垂直部３４−１、３４−２が設けられており、脚３２−１、３２−２の屈曲部３３−１、３３−２及び垂直部３４−１、３４−２の両端部は吸盤３５が取り付けられており、脚３２−１、３２−２をシンク１に固定する。１バルブの水栓３１のノズル１０に取り付けた切り替えコック２４より導入された原水は、浄水器本体５に導かれ、浄水器本体５の下部から浄水ノズル１２より浄水が流れ出る。 本例ではロッドを使用したステーとしての一対の脚を利用して浄水器を固定する方法を説明しているが、Ｌ字型に曲げた板をステーとして利用する場合も、以上の説明の様に吸盤を使用してステーをシンク奥の壁面と水平面に固定できる。また浄水器全体が重量のある場合は、吸盤によるステーの固定をせずに、単にＬ字型ステーのシンク上の水平面に対応した部分に滑り止めのゴムなどを貼り付けておいても壁掛け型浄水器の作用を好適に具体化でき、さらに壁面の清掃時などに浄水器自体を容易に移動でき好ましい。
【００１８】
図５および図６はそれぞれ本発明の壁掛け型浄水器をその取り付け構造のさらに他の例とともに示す図である。図５および図６に示す例は、垂直な壁面に取り付けた例（その４）を示している。図５および図６に示す例において、上述した例と同一の部材には同一の符号を付し、その説明を省略する。本例ではシンク１上の孔４１に固定した例を示す。シンク１上には、洗剤、ブラシなど水廻りの作業に必要な備品を常時入れておく孔４１があり、この孔４１の底部は水切りのため、底に排出口４２を開設して、孔４１の中に入った水などは排水パイプ４３により外部へ排出される。浄水器本体５を支えるステー３はシンク１上の孔４１に嵌合するバスケット形状の容器４４に接続され、バスケット形状の容器４４をシンク１上の孔４１に挿入して、浄水器本体５をシンク奥部の壁面３に固定している。バスケット形状の容器４４は、中に入った水を排出するためにメッシュ状または、底部が開口した形状とする。なお、図５および図６に示す例では、混合水栓２１と浄水器本体５との原水および浄水の流れのための部材は示さなかったが、両者の間の原水および浄水の流れのために、上述した例と同様の構成を設けてあることは言うまでもない。
【００１９】
図７および図８はそれぞれ本発明の壁掛け型浄水器をその取り付け構造のさらに他の例とともに示す図である。図７および図８に示す例は、水平面がある壁面に取り付けた例（その５）を示している。図７および図８に示す例において、上述した例と同一の部材には同一の符号を付し、その説明を省略する。窓５１などが設けられることにより存在する水平面５２は、据え置き型の浄水器を置くには好適の場所であるが、前記の問題がある。本例では、浄水器本体５はＬ字型に曲げた一対のステー６−１、６−２に固定されている。各ステー６−１、６−２は、水平面５２に沿う水平部５３−１、５３−２と、壁面３に沿う垂直部５４−１、５４−２とから構成されている。各ステー６−１、６−２において、Ｌ字型の水平部５３−１、５３−２の内側を粘着性シート５５などで水平面５２に固定してある。 この場合、壁面３上部の水平面５２にはキッチン関係の物品を置くスペースが確保される。また水平面５２が木質などの場合は、Ｌ字型の水平部５３−１、５３−２を木ネジなどで固定しても良い。
【００２０】
シングルレバー混合栓２１のノズル１０端部に切り替えコック２４を取付け、原水を切り替えコック２４から取り出し、柔軟性のあるパイプ２６により浄水器本体５に導入し、浄水器本体５からの浄水は同様に別の柔軟性のあるパイプ２６により、切り替えコック２４に返送され、切り替えコック２４より浄水が得られる。浄水器本体５には浄水器内の滞留水、逆洗水、浄水器使用当初の捨て水などをシンク１内に排出する排水パイプ５６が浄水器本体５の下部に取り付けてあり、排出がスムースかつ周囲に水を撒き散らすことなく、前記機能を達成できる。図８に示すように、シンク奥部にさらに窓５１などがある場合は、浄水器本体５を取り付けるステー６−１、６−２の２個のＬ字状水平部５３−１、５３−２を、２個のＬ字部品５７−１、５７−２をネジ５８−１、５８−２などで連結し、窓枠の溝５９に一方のＬ字部品５７−１、５７−２のＬ字部をはめる構造とする。この場合、壁面３上部の水平面５２にはキッチン関係の物品を置くスペースが確保される。 また本例では一対のＬ字型に曲げたステーを使用した固定方法について説明しているが、Ｌ字型のステーは一枚の板を曲げた形状としても良い。
【００２１】
図９および図１０はそれぞれ本発明の壁掛け型浄水器をその取り付け構造のさらに他の例とともに示す図である。図９および図１０に示す例は、壁上部にひさしのある壁面に取り付けた例（その６）を示している。図９および図１０に示す例において、上述した例と同一の部材には同一の符号を付し、その説明を省略する。本例のように、ワンレバー混合栓６１で、シンク１全部の壁面３に取付けたものはシンク１および壁面３が汚れ難く、掃除がし易い。浄水器本体５は、ひさし６２の下側と、シンク１の平面部９の間の寸法に可変に対応した一対のロッド６３−１、６３−２などの取付け部材により固定される。この例では、ロッド６３−１、６３−２のそれぞれの上部は鋭角部６４−１、６４−２があり、ひさし６２の下面は、浄水器本体５に対しネジ６５−１、６５−２で固定され、ロッド６３−１、６３−２の下面はゴムなどのクッション材６６−１、６６−２を適宜介在させ、シンク１上の損傷と滑りとめとする。この例では一対のロッド６３−１、６３−２を使用したが、板状のステー６−１、６−２でも良いし、ステー６の下部を曲げてシンク１上に置いても良い。 また壁掛け型浄水器をシンク１のひさし６２とシンク１の平面部９の間で固定するための固定金具は、ひさし６２と平面部９の間で拡張する機能を有する機構であれば良く、例えば前記ロッドにバネなどの付勢手段を併用しても良い。混合栓６１のノズル１０端部に固定した切り替えコック２４からの原水はパイプ２５により浄水器本体５に導入され、浄水器本体５下部のノズル１２より浄水が得られる。また浄水ノズル１２の端部には浄水が飛散しない様に泡沫口金６７がついており、野菜洗いなどに対応している。
【００２２】
以上の例では、壁掛け型浄水器をシンク壁面に固定する取り付け金具を、シンク周りにある構造体を利用して固定する方法について説明しているが、シンクの壁面に木ネジなどで例えば一対の段付き円盤などをまず固定し、さらに浄水器の背面に前記段付き円盤に対応した固定部分を設け、浄水器を壁面に固定する方法や、直接浄水器本体をネジ止めしても良い。しかし、賃貸住宅などでは契約終了時のネジ止め部の補修金を請求されることがあり、本願構成が好ましい。さらに浄水器が中空糸エレメントなどを使用して軽量化できる場合は、両面粘着テープなどを使用して、浄水器背面とシンクの壁面を直接固定しても良い。また以上の各実施例では浄水器またはステーなどの取付具の背面を壁に当接する構成について説明しているが、浄水器または取付具の背面、およびシンク奥の壁面の清掃をするためには５〜２０ｍｍの空間を浄水器または取付具とシンク奥の壁面の間に設けることが好ましいが、２０ｍｍ以上離すとシンク近傍の空間利用が効果的でなくなり、また浄水器自体も振動する問題が発生する。
【００２３】
【発明の効果】
以上の説明から明らかなように、本発明によれば、（１）蛇口、混合栓に取り付ける方法、（２）シンクの孔を利用する方法、（３）シンク奥の壁上部の水平部を利用する方法、（４）シンク奥の壁上部のひさしを利用する方法により、家庭用のシンク近傍で作業のじゃまにならないシンク近傍の壁面に浄水器を取り付けることで、せまい家庭用のキッチンのシンク近傍でも浄水器がじゃまになることはない。
【図面の簡単な説明】
【図１】本発明の壁掛け型浄水器をその取り付け構造の一例とともに示す図である。
【図２】図１に示す例を側面から見た例を示す図である。
【図３】本発明の壁掛け型浄水器をその取り付け構造の他の例とともに示す図である。
【図４】本発明の壁掛け型浄水器をその取り付け構造のさらに他の例とともに示す図である。
【図５】本発明の壁掛け型浄水器をその取り付け構造のさらに他の例とともに示す図である。
【図６】図５に示す例を側面から見た例を示す図である。
【図７】本発明の壁掛け型浄水器をその取り付け構造のさらに他の例とともに示す図である。
【図８】図７に示す例を側面から見た例を示す図である。
【図９】本発明の壁掛け型浄水器をその取り付け構造のさらに他の例とともに示す図である。
【図１０】図９に示す例を側面から見た例を示す図である。
【符号の説明】
１  シンク、２  シンク縁部、３  壁面、４  ２バルブ混合栓、５  浄水器本体、６、６−１、６−２  ステー、７、７−１、７−２  スリット、８−１、８−２  下部、９  平面部、１０  ノズル、１１  スペーサ、１２  浄水ノズル、１３  カバー、１４  付勢手段、２１  シングルレバー混合栓、２２−１、２２−２  端部、２３  垂直面、２４  切り替えコック、２５  パイプ、２６  バンド、３１  １バルブの水栓、３２−１、３２−２  脚、３３−１、３３−２  屈曲部、３４−１、３４−２  垂直部、３５  吸盤、４１  孔、４２  排出口、４３排水パイプ、４４  容器、５１  窓、５２  水平面、５３−１、５３−２  水平部、５４−１、５４−２  垂直部、５５  粘着性シート、５６  排水パイプ、５７−１、５７−２  Ｌ字部品、５８−１、５８−２  ネジ、５９  溝、６１  ワンレバー混合栓、６２  ひさし、６３−１、６３−２  ロッド、６４−１、６４−２  鋭角部、６５−１、６５−２  ネジ、６６−１、６６−２  クッション材、６７  泡沫口金
【図１】
0004480302.tif 000002
【図２】
0004480302.tif 000003
【図３】
0004480302.tif 000004
【図４】
0004480302.tif 000005
【図５】
0004480302.tif 000006
【図６】
0004480302.tif 000007
【図７】
0004480302.tif 000008
【図８】
0004480302.tif 000009
【図９】
0004480302.tif 000010
【図１０】
0004480302.tif 000011